(57)【特許請求の範囲】
【請求項１】
着脱可能な第１の情報記録媒体の所定記録面に対する情報の記録、及びこの第１の情報記録媒体の所定記録面に記録された情報の再生を行なう第１の記録再生手段と、
内蔵された第２の情報記録媒体と、
前記第２の情報記録媒体に対する情報の記録、及びこの第２の情報記録媒体に記録された情報の再生を行なう第２の記録再生手段と、
前記第１の情報記録媒体に対する情報記録の指示に対応して、前記第１の記録再生手段により前記第１の情報記録媒体の第１記録面に、入力される目的の情報を記録させる第１の記録制御手段と、
前記第１の記録制御手段の記録制御に伴い目的の情報のうちの第１の情報が記録されることにより、前記第１の記録面の記録残容量が所定容量を下回ったとき、前記第１の情報記録媒体の第１の記録面に対して第１の情報に続く第２の情報を記録させるとともに、前記第２の情報記録媒体に対してもこの第２の情報から記録を開始させる第２の記録制御手段と、
前記第２の記録制御手段により前記第１の情報記録媒体の第１の記録面に第２の情報が記録され、且つ前記第２の情報記録媒体にも第２の情報が記録されてから、前記第１の情報記録媒体の第２記録面の提供を要求する要求手段と、
前記第１の情報記録媒体の第２記録面の提供処理中に、前記第２の記録制御手段による前記第２の情報記録媒体に対する前記第２の情報に続く情報を記録させ、前記第１の情報記録媒体の第２記録面が提供されたとき、前記第２の記録制御手段による前記第２の情報記録媒体に対する情報の記録を停止し、これまでに前記第２の情報記録媒体に記録された第２の情報及びこの第２の情報に続く第３の情報の後に続く第４の情報から再び前記第１の情報記録媒体の第２記録面に対して記録を開始し、前記第１の情報記録媒体の第２記録面に対する第４の情報の記録を終了した後、前記第１の情報記録媒体の第２記録面の提供要求から前記第１の情報記録媒体の第２記録面が提供されるまでの間に前記第２の情報記録媒体に記録された第２の情報及び第３の情報を前記第１の情報記録媒体の第２記録面に対して記録させる第３の記録制御手段と、
前記第１の情報記録媒体の第２面に記録された第２の情報及び第３の情報を先に再生してから、前記第１の情報記録媒体の第２面に記録された第４の情報を再生する情報を前記第１の情報記録媒体の第２の記録面に記録させる第４の記録制御手段と、
を備えたことを特徴とする複数記録面対応の情報記録装置。
【請求項２】
前記第１及び第２の記録再生手段は、ＣＤＡ単位で目的の情報を記録することを特徴とする請求項１に記載の複数記録面対応の情報記録装置。
【請求項３】
前記第１の情報記録媒体に対する記録準備が完了していない状態で、前記第１の情報記録媒体に対する記録が指示されると、入力される目的の情報を前記第２の情報記録媒体へ記録させる第５の記録制御手段と、
前記第１の情報記録媒体に対する記録準備の完了後、前記第２の情報記録媒体に記録された目的の情報を読出し、この読み出された目的の情報を前記第１の情報記録媒体へ記録させる第６の記録制御手段と、
を備えたことを特徴とする請求項１に記載の複数記録面対応の情報記録装置。
【請求項４】
着脱可能な第１の情報記録媒体に対する情報の記録、及びこの第１の情報記録媒体に記録された情報の再生を行なう第１の記録再生手段と、
内蔵された第２の情報記録媒体と、
前記第２の情報記録媒体に対する情報の記録、及びこの第２の情報記録媒体に記録された情報の再生を行なう第２の記録再生手段と、
前記第１の情報記録媒体に対する情報記録の指示に対応して、前記第１の記録再生手段により前記第１の情報記録媒体に、入力される目的の情報を記録させる第１の記録制御手段と、
前記第１の記録制御手段の記録制御に伴い目的の情報のうちの第１の情報が記録されることにより、前記第１の情報記録媒体の記録残容量が所定容量を下回ったとき、前記第１の情報記録媒体に対して第１の情報に続く第２の情報を記録させるとともに、前記第２の情報記録媒体に対してもこの第２の情報から記録を開始させる第２の記録制御手段と、
前記第２の記録制御手段により前記第１の情報記録媒体に第２の情報が記録され、且つ前記第２の情報記録媒体にも第２の情報が記録されてから、前記第１の情報記録媒体の代わりの第１の情報記録媒体の提供を要求する要求手段と、
前記代わりの第１の情報記録媒体の提供処理中に、前記第２の記録制御手段による前記第２の情報記録媒体に対する前記第２の情報に続く情報を記録させ、前記代わりの第１の情報記録媒体が提供されたとき、前記第２の記録制御手段による前記第２の情報記録媒体に対する情報の記録を停止し、これまでに前記第２の情報記録媒体に記録された第２の情報及びこの第２の情報に続く第３の情報の後に続く第４の情報から再び前記代わりの第１の情報記録媒体に対して記録を開始し、前記代わりの第１の情報記録媒体に対する第４の情報の記録を終了した後、前記代わりの第１の情報記録媒体の提供要求から前記代わりの第１の情報記録媒体が提供されるまでの間に前記第２の情報記録媒体に記録された第２の情報及び第３の情報を前記代わりの第１の情報記録媒体に対して記録させる第３の記録制御手段と、
前記代わりの第１の情報記録媒体に記録された第２の情報及び第３の情報を先に再生してから、前記代わりの第１の情報記録媒体に記録された第４の情報を再生する情報を前記代わりの第１の情報記録媒体に記録させる第４の記録制御手段と、
を備えたことを特徴とする情報記録装置。
【請求項５】
前記第１の情報記録媒体に対する記録準備が完了していない状態で、前記第１の情報記録媒体に対する記録が指示されると、入力される目的の情報を前記第２の情報記録媒体へ記録させる第５の記録制御手段と、
前記第１の情報記録媒体に対する記録準備の完了後、前記第２の情報記録媒体に記録された目的の情報を読出し、この読み出された目的の情報を前記第１の情報記録媒体へ記録させる第６の記録制御手段と、
を備えたことを特徴とする請求項４に記載の情報記録装置。
【請求項６】
着脱可能な第１の情報記録媒体の第１記録面に対する情報記録の指示に対応して、前記第１の情報記録媒体の第１記録面に、入力される目的の情報を記録する第１の工程と、
前記第１の工程の記録制御に伴い目的の情報のうちの第１の情報が記録されることにより、前記第１の記録面の記録残容量が所定容量を下回ったとき、前記第１の情報記録媒体の第１の記録面に対して第１の情報に続く第２の情報を記録させるとともに、内蔵された第２の情報記録媒体に対してもこの第２の情報から記録を開始させる第２の工程と、
前記第２の工程により前記第１の情報記録媒体の第１の記録面に第２の情報が記録され、且つ前記第２の情報記録媒体にも第２の情報が記録されてから、前記第１の情報記録媒体の第２記録面の提供を要求する第３の工程と、
前記第１の情報記録媒体の第２記録面の提供処理中に、前記第２の情報記録媒体に対する前記第２の情報に続く情報を記録させ、前記第１の情報記録媒体の第２記録面が提供されたとき、前記第２の情報記録媒体に対する情報の記録を停止し、これまでに前記第２の情報記録媒体に記録された第２の情報及びこの第２の情報に続く第３の情報の後に続く第４の情報から再び前記第１の情報記録媒体の第２記録面に対して記録を開始し、前記第１の情報記録媒体の第２記録面に対する第４の情報の記録を終了した後、前記第１の情報記録媒体の第２記録面の提供要求から前記第１の情報記録媒体の第２記録面が提供されるまでの間に前記第２の情報記録媒体に記録された第２の情報及び第３の情報を前記第１の情報記録媒体の第２記録面に対して記録させる第４の工程と、
前記第１の情報記録媒体の第２面に記録された第２の情報及び第３の情報を先に再生してから、前記第１の情報記録媒体の第２面に記録された第４の情報を再生する情報を前記第１の情報記録媒体の第２の記録面に記録させる第５の工程と、
を備えたことを特徴とする複数記録面対応の情報記録方法。
【請求項７】
前記第１の情報記録媒体に対する記録準備が完了していない状態で、前記第１の情報記録媒体に対する記録が指示されると、入力される目的の情報を前記第２の情報記録媒体へ記録させる第６の工程と、
前記第１の情報記録媒体に対する記録準備の完了後、前記第２の情報記録媒体に記録された目的の情報を読出し、この読み出された目的の情報を前記第１の情報記録媒体へ記録させる第７の工程と、
を備えたことを特徴とする請求項６に記載の複数記録面対応の情報記録方法。
【発明の詳細な説明】
【０００１】
【発明の属する技術分野】
この発明は、ハードディスク等に対して情報を記録するとともに、このハードディスク等に記録された情報を再生し、さらにはＤＶＤ（Digital versatile Disk）などの記録媒体に対して情報を記録するとともに、このＤＶＤに記録された情報を再生することも可能な情報記録装置に関する。特に、両面記録可能なＤＶＤの表面（第１の記録面）と裏面（第２の記録面）の交換作業中における情報の記録落ちを無くすようにした複数記録面対応の情報記録装置及び複数記録面対応の情報記録方法に関する。
【０００２】
【従来の技術】
近年、映像や音声等のデータを記録した光ディスクを再生する動画対応の光ディスク再生装置が開発されている。この装置は、例えばＬＤや、ビデオＣＤ再生装置などの様に、映画ソフトを鑑賞したり、カラオケ等を楽しんだりする目的で、一般に普及されている。
【０００３】
その中で、現在、国際規格化したＭＰＥＧ２（Moving Image Coding Expert Group ）方式を使用するとともに、ＡＣ３オーディオ圧縮方式を採用したＤＶＤ規格が提案された。
【０００４】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、映画やカラオケ等の字幕用としてビットマップデータをランレングス圧縮した副映像データを取り扱うことができるようになっている。さらに、この規格では、再生装置との関係では、早送り逆送りなどの特殊再生用コントロールデータ（ナビパック）を追加して構成されている。
【０００５】
さらにまたこの規格では、コンピュータでディスクのデータを読むことが出来るように、ＩＳ０９６６０とマイクロＵＤＦの規格をサポートしている。
【０００６】
また、メディア自身の規格としては、ＤＶＤ−ビデオのメディアであるＤＶＤ−ＲＯＭの規格に続き、ＤＶＤ−ＲＡＭの規格（記録容量約４．７ＧＢ）も完成し、ＤＶＤ−ＲＡＭドライブもコンピュータ周辺機器として普及し始めている。
【０００７】
さらに、現在ではＤＶＤ−ＲＡＭを利用し、リアルタイムでの情報記録再生が可能なシステムを実現するＤＶＤビデオ規格、つまりＲＴＲ（Real Time Recording）−ＤＶＤの規格が完成しつつあり、検証作業も終了している。
【０００８】
この規格は、現在発売されているＤＶＤ−ビデオの規格を元に考えられている。さらに、そのＲＴＲ−ＤＶＤに対応したファイルシステムも現在規格化されている。
【０００９】
また、記録再生装置に内蔵されたハードディスクドライブ（ＨＤＤ）を利用し、放送信号を記録再生するものも登場している。ハードディスクドライブでは、例えば１００Ｇバイト以上のデータが記録可能なものもある。
【００１０】
【発明が解決しようとする課題】
ハードディスクドライブに情報を記録するハードディスク装置と、ＤＶＤに情報を記録するＤＶＤ装置とを、それぞれ単独で考慮した場合、いずれにも長所と短所がある。
【００１１】
ハードディスク装置の場合は、通常の使用形態では、ハードディスクが装置に内蔵されており、外部に取り出すことができない。このために、無限にデータを保存することは不可能である。いつかは、記録領域の残量が不足することになる。また、装置の外部に取り出すことができないために、ハードディスクに記録されたデータを他の装置で再生することができない。
【００１２】
一方、ＤＶＤ装置の場合、ハードディスクに比べて記憶容量は少ない。しかしＤＶＤは装置から着脱可能であり、いつでも持ち運びできる。
【００１３】
この発明の目的は、上記したような事情に鑑み成されたものであって、下記の複数記録面対応の情報記録装置及び複数記録面対応の情報記録方法を提供することにある。
【００１４】
（１）ハードディスクとＤＶＤの両者の利点を生かし、両面記録可能なＤＶＤの表面と裏面の交換作業中における情報の記録落ちを防止することが可能な複数面対応の情報記録装置。
【００１５】
（２）ハードディスクとＤＶＤの両者の利点を生かし、両面記録可能なＤＶＤの表面と裏面の交換作業中における情報の記録落ちを防止することが可能な複数面対応の情報記録方法。
【００１６】
【課題を解決するための手段】
上記課題を解決し目的を達成するために、この発明の複数記録面対応の情報記録装置及び複数面対応の情報記録方法は、以下のように構成されている。
【００１７】
（１）この発明の複数記録面対応の情報記録装置は、着脱可能な第１の情報記録媒体の所定記録面に対する情報の記録、及びこの第１の情報記録媒体の所定記録面に記録された情報の再生を行なう第１の記録再生手段と、内蔵された第２の情報記録媒体と、前記第２の情報記録媒体に対する情報の記録、及びこの第２の情報記録媒体に記録された情報の再生を行なう第２の記録再生手段と、前記第１の情報記録媒体に対する情報記録の指示に対応して、前記第１の記録再生手段により前記第１の情報記録媒体の第１記録面に目的の情報を記録する第１の記録制御手段と、前記第１の記録制御手段の記録制御に伴い、前記第１の記録面の記録残容量が所定容量を下回ったとき、前記第１の情報記録媒体の第１の記録面に目的の情報を記録させ続けるとともに、同一の目的情報を前記第２の情報記録媒体にも記録させる第２の記録制御手段と、前記第１の記録制御手段の記録制御に伴い、前記第１の記録面の記録残容量が所定容量を下回ったとき、前記第１の情報記録媒体の第２記録面の提供を要求する要求手段と、前記要求手段の要求に対応して、前記第１の情報記録媒体の第２記録面が提供されたとき、前記第２の記録制御手段による記録制御を停止し、前記第１の情報記録媒体の第２記録面に対して、続きの目的の情報を記録させるとともに、目的の情報の重複コピー禁止の制限が無い場合には、前記第２の情報記録媒体に一部記録された目的の情報も前記第１の記録面に記録された目的の情報と一部重複させて記録させる第３の記録制御手段と、前記要求手段の要求に対応して、前記第１の情報記録媒体の第２記録面が提供されたとき、前記第２の記録制御手段による記録制御を停止し、前記第１の情報記録媒体の第２記録面に対して、続きの目的の情報を記録させるとともに、目的の情報の重複コピー禁止の制限が有る場合には、前記第２の情報記録媒体に一部記録された目的の情報のうち、前記第１の記録面に重複して記録されてない部分の情報だけを記録させる第４の記録制御手段とを備えている。
【００１８】
（２）この発明の複数記録面対応の情報記録方法は、着脱可能な第１の情報記録媒体に対する情報記録の指示に対応して、前記第１の情報記録媒体の第１記録面に目的の情報を記録する第１の工程と、前記第１の工程の記録制御に伴い、前記第１の記録面の記録残容量が所定容量を下回ったとき、前記第１の情報記録媒体の第１の記録面に目的の情報を記録させ続けるとともに、同一の目的情報を内蔵された第２の情報記録媒体にも記録させる第２の工程と、前記第１の工程の記録制御に伴い、前記第１の記録面の記録残容量が所定容量を下回ったとき、前記第１の情報記録媒体の第２記録面の提供を要求する第３の工程と、前記第３の工程に対応して、前記第１の情報記録媒体の第２記録面が提供されたとき、前記第２の工程による記録制御を停止し、前記第１の情報記録媒体の第２記録面に対して、続きの目的の情報を記録させるとともに、目的の情報の重複コピー禁止の制限が無い場合には、前記第２の情報記録媒体に一部記録された目的の情報も前記第１の記録面に記録された目的の情報と一部重複させて記録させる第３の工程と、前記第３の工程の要求に対応して、前記第１の情報記録媒体の第２記録面が提供されたとき、前記第２の工程による記録制御を停止し、前記第１の情報記録媒体の第２記録面に対して、続きの目的の情報を記録させるとともに、目的の情報の重複コピー禁止の制限が有る場合には、前記第２の情報記録媒体に一部記録された目的の情報のうち、前記第１の記録面に重複して記録されてない部分の情報だけを記録させる第４の工程とを備えている。
【００１９】
【発明の実施の形態】
以下、この発明の実施の形態について図面を参照して説明する。
【００２０】
図１は、この発明を適用した記録再生装置（複数記録面対応の情報記録装置）の一実施の形態を示す図である。図１の各ブロックを大きく分けると、左側には記録部の主なブロックを示し、右側には再生部の主なブロックを示している。この図１の各部のブロックについては後で詳しく説明する。
【００２１】
図２は、ＤＶＤシステムのディレクトリ構造の一部を示している。
【００２２】
図２は、ＤＶＤシステムの特にリアルタイムレコーディングＤＶＤ（ＲＴＲ−ＤＶＤ）のディレクトリ（ここではＤＶＤ＿ＲＴＡＶと示している）構造について示している。
【００２３】
ディレクトリ（ＤＶＤ＿ＲＴＡＶ）内には、ビデオマネジャーファイルとしてのＶＲ＿ＭＡＮＧＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャービデオファイルとしてのＶＲ＿ＡＵＤＩＯ．ＶＲＯ、ビデオマネージャーのバックアップとしてのＶＲ＿ＭＡＮＧＲ．ＢＵＰの各ファイルが存在する。
【００２４】
ＶＲ＿ＭＡＮＧＥＲ．ＩＦＯファイルには、ナビゲーションデータが記録されるもので、このナビゲーションデータは、プログラムセット、プログラム、エントリーポイント、プレイリストなどを進行させるためのデータである。
【００２５】
ＶＲ＿ＭＯＶＩＥ．ＶＲＯファイルは、ムービービデオオブジェクト（ムービーＶＯＢ）を記録するためのいわゆるムービーＡＶファイルである。このＶＲ＿ＭＯＶＩＥ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００２６】
ＶＲ＿ＳＴＩＬＬ．ＶＲＯは、スチルピクチャーＶＯＢを記録するためのスチルピクチャーＡＶファイルである。
【００２７】
またＶＲ＿ＡＵＤＩＯ．ＶＲＯは、スチルピクチャーに対する付加オーディオストリームを記録するためのスチルピクチャー付加オーディオファイルである。この付加オーディオパートは、アフターレコーディングにより記録されたオーディオストリームを示す。オーディオパートは、ＶＲ＿ＳＴＩＬＬ．ＶＲＯに記録された幾つかのビデオパートとの組み合せで使用される。
【００２８】
ＶＲ＿ＭＡＮＧＲ．ＢＵＰは、ＶＲ＿ＭＡＮＧＲ．ＩＦＯのバックアップファイルである。
【００２９】
図３（Ａ）は、上記のＶＲ＿ＭＯＶＩＥ．ＶＲＯのファイル構造を示している。
【００３０】
ビデオファイルは、階層構造であり、１つのファイルは、複数のＶＯＢ（ビデオオブジェクト）で構成され、１つのＶＯＢは、複数のＶＯＢＵ（ビデオオブジェクトユニット）で構成され、１つのＶＯＢＵは、複数パックから構成される。複数のパックとしては、ＲＤＩパック、Ｖパック、Ａパック等が存在する。
【００３１】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。
【００３２】
図３（Ｂ）は、Ｖパックとの関係によるＭＰＥＧ２方式に基づくビデオデータのフォーマットを示している。
【００３３】
グループオブピクチャー（ＧＯＰ）は、複数のビデオフレームが用いられて圧縮された単位であり、その先頭にはシーケンスヘッダが付加されている。シーケンスヘッダには、シーケンスヘッダの開始コード（ＳＨＣ）、画素の縦のライン数（ＨＳ），画素の横のライン数（ＶＳ），アスペクト比（ＰＡＲ）などが記述されている。
【００３４】
図４に示すＲＤＩパックはリアルタイムデータインフォーメーションパック（ＲＤＩ＿ＰＣＫ）と称されるもので、リアルタイムジェネラル情報（ＲＤＩ＿ＧＩ），ディスプレイコントロール及びコピーコントロール情報（ＤＣＩ＿ＣＣＩ）、製造者情報（ＭＮＦＩ）などを含む。
【００３５】
リアルタイムジェネラル情報（ＲＤＩ＿ＧＩ）は、これが属するＶＯＢＵの最初のフィールドが再生される開始時間を示す情報、つまりＶＯＢＵ＿Ｓ＿ＰＴＭと、当該ＶＯＢＵの記録時を示す情報、つまりＶＯＢＵ＿ＲＥＣ＿ＴＭとを含む。
【００３６】
ディスプレイコントロール及びコピーコントロール情報（ＤＣＩ＿ＣＣＩ）は、ディスプレイコントロール情報（ＤＣＩ）及びコピーコントロール情報（ＣＣＩ）のステータスを示す（ＤＣＩ＿ＣＣＩ＿ＳＳ）と、ディスプレイコントロール情報（ＤＣＩ）自身と、コピーコントロール情報（ＣＣＩ）自身を含む。
【００３７】
（ＤＣＩ＿ＣＣＩ＿ＳＳ）のうちディスプレイコントロール情報ステータス（ＤＣＩ＿ＳＳ）は、第1のエリアであり、有効なアスペクト比情報のみが存在する場合（０１ｂ）、有効なアスペクト比、サブタイトルモード、フィルムカメラモードが存在する場合（１１ｂ）を識別している。
【００３８】
ディスプレイコントロール情報（ＤＣＩ）は、アスペクト比情報、サブタイトルモード情報、フィルムカメラモードを含む。
【００３９】
アスペクト比情報は、アスペクト比が４：３の場合（０００ｂ）、アスペクト比が１６：９の場合（０００１ｂ）を示している。更にソースピクチャーがレターボックスの場合、１０００ｂ（レターボックス（１４：９）であるがスクリーンセンター配置）、０１００ｂ（レターボックス（１４：９）であるがスクリーントップ配置）、１１０１ｂ（レターボックス（１６：９）であるがスクリーンセンター配置）、００１０ｂ（レターボックス（１６：９）であるがスクリーントップ配置）、１０１０ｂ（レターボックス（＞１６：９）であるがスクリーンセンター配置）、０１１１ｂ（１４：９フルフォーマットでセンター配置）を識別している。
【００４０】
サブタイトルモードは、サブタイトルが開かない（００ｂ）、サブタイトルがアクティブイメージエリア内にある（０１ｂ）、サブタイトルがアクティブイメージエリアの外にある（１０ｂ）を識別している。
【００４１】
フィルムカメラモードは、カメラモード（０ｂ）、フィルムモード（１ｂ）を識別している。
【００４２】
図５には、ビデオマネージャー（ＶＭＧ）の階層構造を示し、その中でデータ再生順序を管理する系統について詳しく示している。
【００４３】
ビデオファイルに記録されたデータ再生順序は、図５に示すような、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ＿ＰＧＣＩ），もう１つはユーザディファインドＰＧＣテーブル（ＵＤ＿ＰＧＣＩＴ）である。
【００４４】
上記のように規格化されているディスクの記録再生装置について、再度図１に戻り説明する。
【００４５】
図１に示す記録再生装置における再生処理は、プログラムの再生順序を示すプログラムチェーン情報（ＰＧＣＩ）に従って行われ、このＰＧＣＩでは、複数のプログラム（ＰＧ）を指定することができ、このＰＧＣＩにはセルインフォメーション（ＣＩ）が定義されている。そしてＣＩによりセルエントリーポイント（Ｃ＿ＥＰＩ）が指定され、再生すべき対象となるＶＯＢが特定されることになる。また、記録順に再生するための特別なＰＧＣをオリジナルＰＧＣと称し、このオリジナルＰＧＣの情報は、ＯＲＧ＿ＰＧＣＩとして記録されている。さらに、このときのビデオデータの属性情報（解像度情報、アスペクト情報、音声属性情報など）は、ＶＭＧＩ内のストリームインフォメーション（ＳＴＩ）に記録される。また、上記したパックは、データ転送処理を行なう最小単位である。さらに、論理上の処理を行なう最小単位はセル単位で、論理上の処理はこの単位で行わる。したがって、録画が行われるときは、上記のフォーマットに合致する形式に記録信号が変換される。
【００４６】
情報記録再生装置は、ハーディスクドライブ装置２００１と、ビデオファイルを構築できる情報記憶媒体である光ディスク１００１を回転駆動し、この光ディスク１００１に対して情報の読み書きを実行するディスクドライブ３５と、録画側を構成するエンコーダ部５０と、再生側を構成するデコーダ部６０と、装置本体の動作を制御するマイクロコンピュータブロック３０とを、主たる構成要素としている。
【００４７】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００４８】
ＡＤＣ５２には、ＡＶ入力部４２からの外部アナログビデオ信号＋外部アナログオーディオ信号、あるいはＴＶ（テレビジョン）チューナ４４からのアナログビデオ信号＋アナログ音声信号が入力される。
【００４９】
ＡＤＣ５２は、入力されたアナログビデオ信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【００５０】
同様に、ＡＤＣ５２は、入力されたアナログオーディオ信号を、例えばサンプリング周波数４８ｋＨｚ、量子化ビット数１６ビットでデジタル化する。
【００５１】
なお、ＡＤＣ５２にデジタルビデオ信号やデジタルオーディオ信号が入力されるときは、ＡＤＣ５２は、デジタルビデオ信号やデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。但し、サンプリング周波数等が異なるときには、コンバート処理を行なう。
【００５２】
ＡＤＣ５２から出力されたデジタルビデオ信号は、Ｖエンコーダを介してフォーマッタ５６に送られる。また、ＡＤＣ５２から出力されたデジタルオーディオ信号は、Ａエンコーダを介してフォーマッタ５６に送られる。
【００５３】
Ｖエンコーダは、入力されたデジタルビデオ信号を、ＭＰＥＧ２またはＭＰＥＧ１規格に基づいて、可変ビットレートで圧縮されたデジタル信号に変換する機能を持つ。また、Ａエンコーダは、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
【００５４】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００５５】
フォーマッタ５６は、バッファメモリ５７をワークエリアとして使用しながら、入力されたビデオ信号、オーディオ信号、副映像信号等に対して所定の信号処理を行なうことにより、先に図３、図４で説明したようなフォーマット（ファイル構造）に合致した記録データをデータプロセッサ３６に出力する。
【００５６】
ここで、本装置は、エンコーダ部５０でエンコードされた情報、及び、作成された管理情報を、データプロセッサ３６を介してハードディスク装置２００１に供給し、ハードディスクに記録することができる。またハードディスクに記録された情報を、データプロセッサ３６、ディスクドライブ３５を介して光ディスク１００１に記録することもできる。さらにまた、エンコーダ部５０でエンコードされた情報、及び、作成された管理情報をデータプロセッサ３６、ディスクドライブ３５を介して、光ディスク１００１に記録することもできる。
【００５７】
また、本発明は、ハードディスク装置２００１のハードディスクに記録されている情報が、光ディスク１００１のデータフォーマットと同じである場合、ハードディスクの情報を光ディスクにエンコード処理すること無く記録することができる。
【００５８】
またハードディスク装置２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
【００５９】
ここで、上記光ディスク１００１への記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータが設定される。
【００６０】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００６１】
エンコード処理された主映像データ、オーディオデータ及び副映像データが組み合わされて、ビデオオブジェクトセットＶＯＢＳの構造に変換される。
【００６２】
すなわち、主映像データ（ビデオデータ）の最小論理単位としてセルが設定され、図５で説明したようなセル情報が作成される。次に、プログラムチェーンＰＧＣを構成するセルの構成や、主映像、副映像及びオーディオの属性等が設定され（これらの属性情報の一部は、各データをエンコードするときに得られた情報が利用される）、ここに、種々の情報を含めたＶＭＧファイルが作成される。
【００６３】
エンコード処理された主映像データ、オーディオデータ及び副映像データは、一定サイズ（２０４８バイト）のパック（図３）に細分化される。なお、パック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００６４】
そして、各データのタイムコード順に再生可能なように、ビデオオブジェクトユニットＶＯＢＵ単位でその先頭にＲＤＩパック(ナビゲーションパックに相当)を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルにプログラムとして記録される。
【００６５】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。
【００６６】
光ディスク１００１に対して、情報の読み書き（録画及び／または再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【００６７】
一時記憶部３７は、データプロセッサ３６、ディスクドライブ３５介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングしたりするのに利用される。ディスクドライブ３５は、光ディスクに対する回転制御系、レーザ駆動系、光学系などを有する。
【００６８】
例えば、一時記憶部３７が４Ｍｂｙｔｅの半導体メモリ（ＤＲＡＭ）で構成されるときは、平均４Ｍｂｐｓ（ビット・パー・セカンド）の記録レートでおよそ８秒分の記録または再生データのバッファリングが可能である。また、一時記憶部３７が１６ＭｂｙｔｅのＥＥＰ（エレクトリカリー・イレーザブル・アンド・プログラマブル）ＲＯＭ（フラッシュメモリ）で構成されるときは、平均４Ｍｂｐｓの記録レートでおよそ３０秒の記録または再生データのバッファリングが可能である。
【００６９】
さらに、一時記憶部３７が１００Ｍｂｙｔｅの超小型ＨＤＤ（ハードディスクドライブ）で構成されるときは、平均４Ｍｂｐｓの記録レートで３分以上の記録または再生データのバッファリングが可能となる。
【００７０】
一時記憶部３７は、録画途中で光ディスク１００１を使い切ってしまった場合において、光ディスク１００１が新しいディスクに交換されるまでの短時間の録画情報を一時記憶しておくことにも利用できる。
【００７１】
しかし、本発明の装置では、大きな容量を持つハードディスク装置２００１が設けられているので、この装置を活用することができる。
【００７２】
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【００７３】
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
【００７４】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００７５】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【００７６】
また、マイクロコンピュータブロック３０は、システム全体を制御するために必要な情報処理部を有するもので、コピー情報検知・設定部、ディレクトリ検知部、ＶＭＧ管理情報作成部を備える。
【００７７】
ＭＰＵの実行結果のうち、ディスクドライブ３５のユーザに通知すべき内容は、ＤＶＤビデオレコーダの表示部４８に表示されるか、またはモニタディスプレイにＯＳＤ（オンスクリーンディスプレイ）表示される。
【００７８】
なお、マイクロコンピュータブロック３０が、ディスクドライブ３６、データプロセッサ３６、エンコーダ部５０及び／またはデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００７９】
デコーダ部６０は、図３に示したようなパック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ群６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【００８０】
ビデオプロセッサ６６の出力は、ビデオミキサー７１に入力される。ビデオミキサー７１では、テキストデータの合成が行われる。またビデオミキサー７１には、また、ＴＶチューナ４４やＡ／Ｖ入力部４２からの信号を直接取り込むラインも接続されている。ビデオミキサー７１には、バッファとして用いるフレームメモリ７２が接続されている。ビデオミキサー７１の出力がデジタル出力の場合は、インターフェース（Ｉ／Ｆ）７３を介して外部へ出力され、アナログ出力の場合は、ＤＡＣ７４を介して外部へ出力される。
【００８１】
Ａデコーダの出力がデジタル出力の場合は、インターフェース（Ｉ／Ｆ）７５を介して外部へ出力され、アナログ出力の場合は、セレクタ７６を介してＤＡＶ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
【００８２】
上記装置において、ビデオ信号の流れを簡単に説明すると、以下のようになる。
【００８３】
まず、入力されたＡＶ信号はＡＤＣ５２でデジタル変換される。ビデオ信号はＶエンコーダへ、オーディオ信号はＡエンコーダへ、文字放送などの文字データはＳＰエンコーダへ入力される。ビデオ信号はＭＰＥＧ圧縮され、オーディオ信号はＡＣ３圧縮またはＭＰＥＧオーディオ圧縮がなされ、文字データはランレングス圧縮される。
【００８４】
各エンコーダからの圧縮データは、パック化された場合に２０４８バイトになるようにパケット化されて、フォーマッタ５６へ入力される。フォーマッタ５６では、各パケットがパック化され、さらに、多重化され、データプロセッサ３６へ送られる。
【００８５】
ここで、フォーマッタ５６は、アスペクト情報検出部４３からの情報を元に、ＲＤＩパックを作成し、ビデオオブジェクトユニット（ＶＯＢＵ）の先頭に配置する。データプロセッサ３６は、１６パック毎にＥＣＣブロッを形成し、エラー訂正データを付け、その出力をディスクドライブ３５を介して光ディスク１００１へ記録する。ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
【００８６】
さらに、フォーマッタ５６では、録画中、各切り分け情報を作成し、定期的にマイクロコンピュータブロック３０のＭＰＵへ送る（ＧＯＰ先頭割り込み時などの情報）。
【００８７】
切り分け情報としては、ＶＯＢＵのパック数、ＶＯＢＵ先頭からのＩピクチャのエンドアドレス、ＶＯＢＵの再生時間などである。
【００８８】
同時に、アスペクト情報検出部４３からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【００８９】
また、録再ＤＶＤでは、ビデオファイルは１ディスクに１ファイルとしている。
【００９０】
ここで、ＤＶＤを利用したリアルタイム録再機において、注意すべき点は、データをアクセスする場合において、そのアクセス（シーク）している間に、とぎれないで再生を続けるために、最低限連続するセクタが必要になってくる。この単位をＣＤＡ（コンティギュアス・データ・エリア）という。
【００９１】
このＣＤＡは、ＥＣＣブロック単位となっている方が有利である。そのため、ＣＤＡサイズは１６セクタの倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【００９２】
図６には、またビデオマネージャー（ＶＭＧ）内のムービーＡＶファイル情報テーブル（Ｍ＿ＡＶＦＩＴ）を階層的に示している。このテーブルの情報は、記録されているＶＯＢ（プログラム）の数、各ＶＯＢに対応するオーディオや副映像のストリームの番号、各ＶＯＢの属性（テレビジョン方式、アスペクト比等）がストリーム情報（Ｍ＿ＶＯＢ＿ＳＴＩ）として記録されている。さらにＭ＿ＡＶＦＩとしては、一般情報として、ＶＯＢが再生可能なものか、仮消去されたものかを示す情報、ＶＯＢを記録した日時情報（レコーディングタイム）が記述されている。さらに個々の情報として、各ＶＯＢのサーチポインタ、複数のＶＯＢを連続再生する情報（ＳＭＬＩ）としてのシステムクロック情報が記述されている。さらにまた、ＶＯＢ内のＶＯＢＵのタイムマップ情報（ＴＭＡＰＩ）が記述されている。タイムマップ情報は、特殊再生などを行なうときに利用可能である。
【００９３】
この発明のシステムには、複数記録面対応の録画機能が設けられている。この機能によると、ＤＶＤ−ＲＡＭの所定の記録面（例えば表面）に対する目的データの記録中に、この記録面の記憶残容量が所定値を下回ったとき、目的データの途中の記録落ちを発生させることなく、ＤＶＤ−ＲＡＭの両面又は複数のＤＶＤ−ＲＡＭに跨って目的のデータを記録することができる。さらに、目的のデータに重複コピー禁止の制限が無ければ、目的のデータを一部重複させて記録することもできる。以下その動作について、説明する。
【００９４】
図１に示すように、記録再生装置のマイクロコンピュータブロック３０には、コピー情報検知・設定部が設けられている。このコピー情報検知・設定部は、例えば、（１）放送信号の垂直ブランキングに重畳されている信号から、当該放送信号のコンテンツがコピー許可であるか（重複コピー禁止の制限無し）、１度コピー許可であるかどうか（重複コピー禁止の制限有り）を認識する。または、コピー情報検知・設定部は、（２）ビデオ信号自体がスクランブルされていることを判断し、コピー禁止であることを認識する。さらに、上記（１）、（２）の両方式を利用するようにしてもよい。このコピー情報検知・設定部は、上記認識結果に基づきコピー禁止情報を保存する。
【００９５】
図７は、本発明の装置に対して、光ディスク１００１（ＤＶＤ−ＲＡＭ）が装填され、例えば放送信号を録画するときの全体的な動作を示すフローチャートである。
【００９６】
光ディスク１００１が装填されるとディスクセンサーよりディスク検出信号がマイクロコンピュータブロック３０に供給される。初期化された光ディスク１００１が装填されたときは、この光ディスク１００１に対する記録準備が完了するまでに、数十秒程度が必要とされる。その内訳は、光ディスク１００１の回転速度が所望のスピードに達するまでの時間、所望の回転速度に達した光ディスク１００１から管理情報を読取る時間、及び読取った管理情報を一時記憶部３７に格納する時間である。初期化されていない光ディスク１００１が装填されたときには、上記した記録準備完了までの時間に加えて、光ディスク１００１を初期化するための時間（数分）が必要とされる。
【００９７】
光ディスク１００１に対する記録準備が完了していない状態で、光ディスク１００１に対する記録が指示されると（ディスクに対する録画指示）、マイクロコンピュータブロック３０の記録制御により、光ディスク１００１の替わりに、ハードディスクドライブ（ＨＤＤ）２００１に対して目的の映像音声データが記録される。ＨＤＤ２００１に記録された目的の映像音声データは、光ディスク１００１に対する記録準備の完了に伴い、光ディスク１００１に記録される。
【００９８】
ここで、図７及び図８を参照して、光ディスク１００１側に対する処理について説明する。光ディスク１００１は初期化されているものとする。
【００９９】
ディスク挿入が検知されると、光ディスク１００１のファイルシステムを取り込む。空き領域があるかどうかを判定し、ない場合には録画スペースがありませんという警告表示を行なう。空き領域がある場合には、書き込みアドレスを決定する。
【０１００】
次に、ワークＲＡＭ内に光ディスク１００１よりビデオマネージャー情報（ＶＭＧＩ）を読み出し、無い場合は内部で発生し、ＶＭＧＩテーブルを構築する。
【０１０１】
この処理は、マイクロコンピュータブロック３０が中心となって行なうステップＡ１、Ａ２、Ａ３、Ａ４、Ａ５、Ａ６に対応する。
【０１０２】
つまり、光ディスク１００１が録再装置に装填された状態で、ファイルシステムのチェック、空き領域のチェックなどが行われる。次に、入力信号（放送信号或は他のメディアからの読出し信号）がコピー禁止のものであるかどうかを判定する（ステップＡ７）。コピー禁止であれば、マイクロコンピュータブロック３０の制御のもとに、ディスプレイ（表示部４８及びまたはＴＶディスプレイ）にこのコンテンツはコピー禁止ですというメッセージを表示させる。
【０１０３】
コピー許可（或はワンスコピー許可）の場合には、次にステップＡ８に移行する。このステップＡ８では、エンコーダ部５０に録画初期設定を行い、録画を開始設定する。即ち、マイクロコンピュータブロック３０により、録画が可能な状態が確認されると、録画初期設定が行われる。さらにＳＴＣのリセット、ドライブへの書き込み開始アドレスの設定、書き込み命令の設定、フォーマッタへの初期設定、アライン処理の設定として、セル、ＶＯＢＵ、プログラム（ＰＧ），プログラムチェーン（ＰＧＣ）の区切りの準備設定が行われる。
【０１０４】
即ち、録画開始時には、エンコーダ部５０へ録画開始命令を設定し、またフォーマッタ５６における切り分け情報をＶＯＢＵとして登録する。これにより、録画がスタートすると、エンコーダ部５０では、入力ビデオ信号のフレームがＧＯＰ単位で圧縮され、さらにこのＧＯＰがパック化され、さらに、このパックが収集されてＶＯＢＵ単位にまとめられる。ＧＯＰのシーケンスヘッダには、アスペクト比情報が挿入される（図３（Ｂ）参照）。またＶＯＢＵの先頭パックとして、ＲＤＩパック（図３（Ｂ）、図４参照）が配置される。このときは、図３（Ａ）で説明したように、オーディオパック、副映像パックなども収集される（ステップＡ９）。
【０１０５】
エンコードデータが１ＣＤＡ分たまった場合、光ディスク１００１の空き領域に記録するように各ドライブ部に設定し、記録するセクタのリンク情報をワークＲＡＭに保存する（Ａ１６、Ａ１７）。
【０１０６】
ステップＡ９からＡ１６までの間では、次のようなチェックが行なわれる。フォーマッタ５６に切り分け情報がたまった場合、切り分け情報を取り込むための割り込み処理となる（ステップＡ１０、Ａ１１）。切り分け情報は、ワークＲＡＭにＶＯＢＵ管理情報として一時的に取り込まれる。また録画終了キーの入力があったかどうか、あるいは録画終了コマンド（予約録画終了の場合のコマンド）の入力があったかどうかのチェックが行なわれる（ステップＡ１２）。さらにまた残り容量の算出処理、残り容量が一定値を切ったかどうかの判定処理も行なわれる（（ステップＡ１３、Ａ１４）。
【０１０７】
残り容量がある一定値を切ると、後で説明するように、記録面の交換（ディスクの交換或は裏返し）を要求する。このときの動作は、後で、図１０において説明する（ステップＡ１５）。
【０１０８】
ステップＡ１８では、録画可能容量があるかどうかを判定し、容量がある場合にはステップＡ１０に戻り、無い場合には、フォーマッタより切り分け情報をマイクロコンピュータブロックに取り込み、フォーマッタを初期化する。
【０１０９】
次にハードディスク或は、これに代わるバッファＲＡＭに一時記録したデータが存在するかどうかを判定する（ステップＡ２０）。存在する場合には、当該ハードディスク或はバッファＲＡＭのデータを、光ディスク１００１に記録し、ハードディスク或はバッファＲＡＭのデータをクリアする（ステップＡ２１）。
【０１１０】
次に録画終了処理を行なう（ステップＡ２２）。録画終了処理としては、ファイルシステムの更新（ハードディスクから光ディスク１００１にデータを転送記録した場合には、そのデータが光ディスク１００１上で最初にくるようにリンク情報を作成）し、ビデオマネージャー（ＶＭＧ）に更新された管理情報として書き込む（ＰＧＣＩ設定、切り分け情報など）。
【０１１１】
図９を参照し、図７のステップＡ９で割り込みがあった場合の処理を簡単に説明する。
【０１１２】
割り込み情報が検出されると、割り込み要因のチェックが行われ、１パック分のデータをデータプロセッサ３６へ転送し、録画パック数のカウントアップを開始する。そしてフォーマッタ５６で次々と処理されているパックのために切り分け情報を１つ取り込む毎に割り込みフラッグをセットする。この処理は割り込みが解除されるまで行われる。割り込みが解除になると、ステップＡ１１、Ａ１２、Ａ１３、Ａ１４を経由し、録画パック数から１ＣＤＡ分があるかどうかを判定する。また、同時に割り込みフラッグを消去する。これにより、割り込み処理が実行されても、セル、ＶＯＢＵ，ＰＧ，ＰＧＣなどを作成するための切り分け情報を失うことはない。
【０１１３】
図１０は、図８のステップＡ１５において、残り容量が所定値以下になったときの動作を示すフローチャートである。残り容量が所定値以下になると、マイクロコンピュータブロック３０のコピー情報検知・設定部の情報が判断され、現在録画中のデータは、コピー許可されているかどうかの判定が行われる（ステップＢ１）。コピー許可されている場合には、光ディスク１００１に対してコンテンツの繋ぎ部分（のりしろ部分）の作成処理に移る。そして、のりしろ部分を光ディスク１００１に記録したかどうかを判定する（ステップＢ２）。また、同時にこのときは、ハードディスクにものりしろ部分を記録する。のりしろ部分に相当するデータが記録されたときは、ディスク交換処理を行なう（ステップＢ３）。このディスク交換処理は、ディスプレイを通じてユーザにディスクの交換或は裏返しを要求するメッセージを出力する。
【０１１４】
ここで、ディスク交換或は裏返しが行なわれると、新しい記録面に対して、放送信号或は他の媒体からの入力信号の記録が行なわれる。そして、録画が終了したときにハードディスクに記録されていたのりしろ部分が、記録データの先頭にくるように記録される。あるいは、のりしろ部分が空き領域に記録され、ＶＭＧは、のりしろ部分が先に再生されるように構築される。
【０１１５】
ステップＢ１において、１回コピー許可されていないことが判明した場合は、ハードディスクへの録画設定が行なわれる（ステップＢ４、Ｂ５）。次のサイクルで、ステップＢ４にて、ハードディスクにのりしろ部分の録画が行なわれたことが分かると（ステップＢ６）、ディスク交換が要求される。ディスク交換作業時には、ハードディスクに録画を続けてもよい。
【０１１６】
ディスク交換が完了すると、新しいディスクあるいは、ディスクの裏面への録画が行なわれる、つまり、新しい記録面に録画が開始される。ここで録画が終了しても、ハードディスクに記録されているのりしろ部分は、新しい記録面に最記録されることはない。
【０１１７】
図１１は、図１０のディスク交換処理動作の詳細を示すフローチャートである。
【０１１８】
ディスク交換或は裏返しは、コンピュータブロック３０からの要求に基づきディスクチェンジャー部３００が行なう。ディスク交換処理に移行すると、画面上はディスク交換中の表示が得られる（ステップＣ１）。次にディスクドライブ３５へディスクストップ命令が与えられる（ステップＣ２）。これに応答したディスクドライブ３５から処理終了ステータスを示す信号が到来するとＡＶデータをＣＤＡ単位でハードディスクドライブ装置２００１へ転送するように設定する（ステップＣ３、Ｃ４）。次にディスク交換命令をディスクチェンジャ−部３０００に与える。これにより、ディスクチェンジャ−部３００では、例えばディスクトレイが装置から外部へ送りだされる（ステップＣ５）。ここでユーザがトレイ上のディスクの裏返し、あるいは、新しいディスクをトレイ上に登載し、トレイを装置方向へ押し込むと、トレイは、装置内部へ移動する。
【０１１９】
ここで、ディスクチェンジャ−部３００からディスク交換処理終了検知信号が出力され、この信号は、マイクロコンピュータブロック３０で検知される（ステップＣ６）。次に、トレイ上にディスクがあるかどうかの判定が行われ（ステップＣ７）、ディスクが存在すれば、当該ディスクの管理データの読取りが開始され、さらに空き領域があるかどうかの判定が行われる（ステップＣ８、Ｃ９）。空き領域が無ければ、再度ディスク交換命令をディスクチェンジャ−部３００へ与えるが、空き領域があれば、空き領域に書き込みアドレスを設定し、さらには、ファイルシステムの読み込み、ＶＭＧの読取り（または作成：ＶＭＧテーブルの作成）を行い、残り時間の表示を行い、記録動作に移行する（ステップＣ１０、Ｃ１１、Ｃ１２）。
【０１２０】
ステップＣ７において、ディスクがないことが判明すると、画面上にディスク画ありませんディスクを入れてくださいとの表示を得る（図１２のステップＣ１３）。次に、ディスクを交換（あるいは裏返し）したかどうかの判定を行い（ステップＣ１４）、交換されていればその交換が所定時間以内であるかどうかを判定する（ステップＣ１５）。この時間は、例えば、のりしろ部分が異常に長くなるのを防止している。また、ユーザが留守である場合を想定している。所定時間内にディスク交換がなされないと、録画中止処理を行い、またハードディスクに記録していたのりしろ部分をクリアし、通常処理へ移行する（ステップＣ１６、Ｃ１７）。
【０１２１】
また本発明のシステムでは、ハードディスクの記録領域が無くなった場合には、その旨を画面に表示し、ハードディスクに記録したのりしろ部分をクリアし、録画処理を終了する機能を設けてもよい。
【０１２２】
図１３は、ディスク交換時に画面上に表示されるメッセージの例を示す図である。ディスク交換中、ディスクの交換完了、ディスク交換エラー等の情報が表示される。
【０１２３】
以下、複数記録面対応の録画機能についてまとめる。
【０１２４】
光ディスク１００１に対する情報記録の指示に対応して、マイクロコンピュータブロック３０の第１の記録制御により、光ディスク１００１の第１記録面（例えば表面）に目的の情報が記録される。第１の記録制御に伴い第１の記録面の記録残容量が所定容量を下回ったとき、マイクロコンピュータブロック３０の第２の記録制御により、光ディスク１００１の第１の記録面に目的の情報が記録され続けるとともに、同一の目的情報がＨＤＤ２００１にも記録される。なお、マイクロコンピュータブロック３０に設けられた残容量検出部により、記録残容量はチェックされる。さらに、第１の記録記録制御に伴い第１の記録面の記録残容量が所定容量を下回ったとき、光ディスク１００１の表裏反転或いはディスクの交換が要求される。
【０１２５】
この要求に対応して、光ディスク１００１の第２の記録面（例えば裏面）或いは別の光ディスク１００１の所定記録面が提供されると、第２の記録制御が停止される。さらに、マイクロコンピュータブロック３０の第３（又は第４）の記録制御により、光ディスク１００１の第２の記録面或いは別の光ディスク１００１の所定記録面に対して、続きの目的の情報が記録される。さらに、目的の情報の重複コピー禁止の制限が無い場合には、ＨＤＤ２００１に一部記録された目的の情報も光ディスク１００１の第１の記録面に記録された目的の情報と一部重複させて記録される。目的の情報の重複コピー禁止の制限が有る場合には、ＨＤＤ２００１に一部記録された目的の情報のうち、光ディスク１００１の第１の記録面に重複して記録されてない部分の情報だけが記録される。
【０１２６】
また、第３（又は第４）の記録制御により光ディスク１００１の第２の記録面或いは別の光ディスク１００１に記録された、続きの目的の情報及びＨＤＤ２００１から転記された目的の情報の両者のリンクを示すリンクが張られる。つまり、続きの目的の情報よりも、ＨＤＤ２００１から転記された目的の情報を先に再生させるファイルシステムが構築される。或いは、続きの目的の情報よりも、ＨＤＤ２００１から転記された目的の情報を先に再生させるプログラムチェーン情報（ＰＧＣＩ）が記録される。なお、上記した目的の情報のは、ＣＤＡ単位で記録されるものとする。
【０１２７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【０１２８】
【発明の効果】
この発明によれば、下記の複数記録面対応の情報記録装置及び複数記録面対応の情報記録方法を提供できる。
【０１２９】
（１）ハードディスクとＤＶＤの両者の利点を生かし、両面記録可能なＤＶＤの表面と裏面の交換作業中における情報の記録落ちを防止することが可能な複数面対応の情報記録装置。
【０１３０】
（２）ハードディスクとＤＶＤの両者の利点を生かし、両面記録可能なＤＶＤの表面と裏面の交換作業中における情報の記録落ちを防止することが可能な複数面対応の情報記録方法。
【図面の簡単な説明】
【図１】この発明の一例に係る記録再生装置の概略構成を示すブロック図である。
【図２】ＤＶＤシステムのディレクトリ構造の一部を示す図である。
【図３】ＶＲ＿ＭＯＶＩＥ．ＶＲＯのファイル構造、及びＶパックとの関係によるＭＰＥＧ２方式に基づくビデオデータのフォーマットを示す図である。
【図４】ＲＩＤデータの詳細を示す図である。
【図５】ビデオマネージャー（ＶＭＧ）の階層構造を示すとともに、データ再生順序を管理する系統について詳しく示す図である。
【図６】ビデオマネージャー（ＶＭＧ）内のムービーＡＶファイル情報テーブル（Ｍ＿ＡＶＦＩＴ）を階層的に示す図である。
【図７】ＤＶＤ−ＲＡＭ及びＨＤＤに対する記録処理その１を示すフローチャートの前段である。
【図８】ＤＶＤ−ＲＡＭ及びＨＤＤに対する記録処理その２を示すフローチャートの後段である。
【図９】ＤＶＤ−ＲＡＭに対する割り込み処理を示す図である。
【図１０】ＤＶＤ−ＲＡＭの記憶残容量が所定値を下回ったときの処理を示すフローチャートである。
【図１１】ディスクチェンジャーによるディスク交換処理その１を示すフローチャートである。
【図１２】ディスクチェンジャーによるディスク交換処理その１を示すフローチャートである。
【図１３】ディスク交換時に画面上に表示される各種メッセージの例を示す図である。
【符号の説明】
３０…マイクロコンピュータブロック
３５…ディスクドライブ
３６…データプロセッサ
３７…一時記憶部
５０…エンコーダ部
６０…デコーダ部
１００１…光ディスク（ＤＶＤ−ＲＡＭ）
２００１…ハードディスクドライブ（ＨＤＤ）
【図１】
0003677205.tif 000002
【図２】
0003677205.tif 000003
【図３】
0003677205.tif 000004
【図４】
0003677205.tif 000005
【図５】
0003677205.tif 000006
【図６】
0003677205.tif 000007
【図７】
0003677205.tif 000008
【図８】
0003677205.tif 000009
【図９】
0003677205.tif 000010
【図１０】
0003677205.tif 000011
【図１１】
0003677205.tif 000012
【図１２】
0003677205.tif 000013
【図１３】
0003677205.tif 000014